(57)【要約】【課題】            現在、世界各国、地域をはじめ、我国内にあってもテレビ放送局が製作、発信するテレビ番組を全て受像機で受信し、閲覧視聴することを可能とするシステムは存在していないという点である。【解決手段】        各国のテレビ番組の閲覧システムは世界各国の各テレビ放送局から発信されたテレビ番組を特定のサーバに送信し、その情報としての番組をそのサーバとネット上接続されているウェブサイトから各ユーザーのパソコンをはじめとする受信機に受信させ、ブラウザーにより各番組を選択し、閲覧、視聴可能とすることとし、前記したサーバとウェブサイトは構造的に同一物であることとする。【選択図】          図１
2008160242.tif 000002
【特許請求の範囲】
【請求項１】
世界各国の各テレビ放送局から発信されたテレビ番組を特定のサーバに送信し、その情報としての番組をそのサーバとネット上接続されているウェブサイトから各ユーザーのパソコンをはじめとする受信機に受信させ、ブラウザーにより各番組を選択し、閲覧、視聴可能とすることを特徴とする各国のテレビ番組の閲覧システム。
【請求項２】
前記したサーバとウェブサイトは構造的に同一物であることを特徴とする請求項１に記載の各国のテレビ番組の閲覧システム。
【請求項３】
ヒットカウント制を導入し、チャンネルごとの視聴率を得ることを特徴とする請求項１または請求項２に記載の各国のテレビ番組の閲覧システム。
【請求項４】
前記した視聴率は毎秒ごとに得ることを特徴とする請求項３に記載の各国のテレビ番組の閲覧システム。
【請求項５】
複数のチャンネルにおける番組を同時表示できることを特徴とする請求項１、請求項２、請求項３または請求項４に記載の各国のテレビ番組の閲覧システム。
【請求項６】
複数のブラウザーによってチャンネル表示を同時に行なえることを特徴とする請求項１、請求項２、請求項３、請求項４または請求項５に記載の各国のテレビ番組の閲覧システム。
【請求項７】
各テレビ放送局の提供する番組表と連動させて自動的に番組ごとのタグを生成し、そのタグによって番組の内容、映像等を検索することを可能としたことを特徴とする請求項１、請求項２、請求項３、請求項４、請求項５または請求項６に記載の各国のテレビ番組の閲覧システム。
【請求項８】
ユーザーアカウント登録により、各人に独自のカスタマイズを可能としたことを特徴とする請求項１、請求項２、請求項３、請求項４、請求項５、請求項６または請求項７に記載の各国のテレビ番組の閲覧システム。
【発明の詳細な説明】
【技術分野】
【０００１】
本発明は各国のテレビ番組、即ち、世界中に存在する各テレビ放送局が作成して発信する番組を世界中のどの地域にあっても視聴することを可能とするテレビ番組の閲覧システムに関する。
【背景技術】
【０００２】
従来、テレビ番組は各テレビ放送局で製作され、電波にその情報を乗せて配信され、ユーザーは一般的にこの電波をアンテナで受け、電気的に接続されたテレビ受像機により視聴することができるシステムとなっている。
【０００３】
また、一般的なテレビ受像機は複数のチャンネルを切り替えることで、チャンネル（放送局）を選択することができるものとなっているが、このチャンネルの選択も各放送局からの電波の届く範囲に限定されることが一般的であり、我国内にあっても一地域にあっては、他の地方における放送局から配信されるチャンネルを選択することはでき得ない。
【０００４】
さらに、ＢＳデジタル放送、ＣＳデジタル放送等は専用の受信装置を必要として、多数チャンネルの受信を得ることができるが、このシステムによってもワールドワイドに世界各国、地域において製作、発信された番組を受信することは現在不可能となっている。
【特許文献１】出願人において、本願発明に関する先行技術の調査を行なったが、格別に本願発明と関連し、類似すると思われる文献を発見することはできなかった。
【発明の開示】
【発明が解決しようとする課題】
【０００５】
本発明が解決しようとする問題点は、現在、世界各国、地域をはじめ、我国内にあってもテレビ放送局が製作、発信するテレビ番組を全て受像機で受信し、閲覧視聴することを可能とするシステムは存在していないという点である。
【課題を解決するための手段】
【０００６】
この問題点を解決するために、本発明に係る各国のテレビ番組の閲覧システムは世界各国の各テレビ放送局から発信されたテレビ番組を特定のサーバに送信し、その情報としての番組をそのサーバとネット上接続されているウェブサイトから各ユーザーのパソコンをはじめとする受信機に受信させ、ブラウザーにより各番組を選択し、閲覧、視聴可能とすることを特徴とし、前記したサーバとウェブサイトは構造的に同一物であることを特徴としている。
【０００７】
また、本発明に係る各国のテレビ番組の閲覧システムはヒットカウント制を導入し、チャンネルごとの視聴率を得ることを特徴とし、前記した視聴率は毎秒ごとに得ることを特徴としている。
【０００８】
さらに、本発明に係る各国のテレビ番組の閲覧システムは複数のチャンネルにおける番組を同時表示できることを特徴とし、複数のブラウザーによってチャンネル表示を同時に行なえることを特徴としている。
【０００９】
そして、本発明に係る各国のテレビ番組の閲覧システムは各テレビ放送局の提供する番組表と連動させて自動的に番組ごとのタグを生成し、そのタグによって番組の内容、映像等を検索することを可能としたことを特徴とし、ユーザーアカウント登録により、各人に独自のカスタマイズを可能としたことを特徴としている。
【発明の効果】
【００１０】
本発明に係る各国のテレビ番組の閲覧システムは上記のように構成されている。そのために、世界各国、地域におけるテレビ放送局から発信されたテレビ番組を世界中のどの地域にあってもリアルタイムで視聴することができることとなり、最新の情報を即時に得ることが可能となる。加えて、番組放送に伴うＣＭも世界中に送られることとなり、スポンサーにとってもより一層大きなマスメディアの活用となり、地域や時間にとらわれることなく大きな経済的プラスとなる。
【発明を実施するための最良の形態】
【００１１】
図面として示し、実施例として記載したように構成したことで実現した。
【実施例１】
【００１２】
次に、本発明の好ましい実施の一例を図面を参照して説明する。図１は本発明を実施した各国のテレビ番組の閲覧システムを示す概略ブロック図、図２は同じくユーザーのパソコンにおけるログイン前のインターフェイス画面を示す図、図３は同じくログイン後のインターフェイスを示す図である。
【００１３】
これらの図にあって１は特定のテレビ番組用のサーバを示しており、２はこのサーバ１とネット上もしくは電気的に接続されているウェブサイトを示しており、実際上は基本的にこのサーバ１とウェブサイト２は構造的に同一物である。
【００１４】
前記したサーバ１は世界各国、地域にあるテレビ放送局３、３‥からの発信信号を伝送するストリーミングトランスミッションサーバ４、４‥とネット上で接続されている。尚、５、５‥はアンテナを示している。
【００１５】
ウェブサイト２にはウェブ上で前記した各国の放送局３、３‥から発信されているチャンネルがストリーミングされ、ユーザーの指示によってパソコン６、６‥の画面に前記ストリーミングサーバ４、４‥、強いてはサーバ１から映像が提供されるようになっている。
【００１６】
また、このシステムはウェブアプリケーションとすることで、ユーザーは格別なアプリケーションのダウンロードを必要とせず、ウェブサイト２から供される番組を視聴することができ、パソコン６、６‥に搭載されているブラウザーを立ち上げ、ウェブサイト２に接続する作業のみで、各国のテレビ番組の視聴が可能とされる。
【００１７】
さらに、このシステムにはヒットカウント制を導入し、このヒットカウントは毎秒ごとに行なうことができることとする。これによって、チャンネルごとの視聴率は勿論、ＣＭの視聴率も計出することができることとなる。これで、どのチャンネル、どの番組の人気が高いかが判明し、ユーザーがどの地域から多くアクセスしているかも判明し、この視聴率の計算は確実で不正もなく、ＣＭが全世界で視聴される可能性がある。
【００１８】
テレビ番組の放送は全てが各国で放送されている時間とリアルタイムで、一切の編集なしに放送される。尚、このテレビ番組には、例えば我国のＮＨＫ等のように有料なテレビ放送局や番組は予めチャンネルのストリーミングから排除しておくか、もしくは視聴不能の状態としておくこととなる。
【００１９】
チャンネルの表示は複数を同時に行なうことを可能とし、いくつものチャンネルを同時にチェックすることができる。ブラウザーも複数個を用意して、同時にテレビチャンネルを表示でき、その際の音声は選択可能とできる。
【００２０】
また、ライブランキング制度の導入、即ち、瞬時に変化していく番組の人気度合（視聴率）をユーザーは画面を見ながら知ることが可能となる。
【００２１】
さらに、各々のテレビ放送局が提供する番組表と連動させて自動的にタグを生成し、そのタグによって番組の内容や映像を検索できるチャンネル検索機能も付加することができる。この機能によって同じ内容のニュースや中継番組等であっても、ユーザーはその映像を確認して各自に適合した、あるいは好みの放送局を選択することが可能となる。
【００２２】
そして、ログインした際のインターフェイスからユーザーはアカウント登録することができ、この登録で録画が可能とされる。勿論このアカウント登録は行なうことなく番組の視聴は可能とされるが、この登録で表示、画像位置、好みや地域性で特化される検索機能、ニューストピック等各ユーザー独自のカスタマイズ機能を発揮することが可能となる。これはどのパソコンを使用しても同じ環境での視聴を可能とし、ウェブツールとして機能の追加も可能となる。
【００２３】
また、前記したアカウント登録によってユーザーの年齢、性別、住所、居所、好みの番組等々が特定できることとなり、この情報を生かした広告をスポンサーは展開することができるようになる。そして、新たな広告手段、例えばある商品のＣＭが放映されている際、同じ商品のアフェリエイト広告等を画面外のフレームに入れたり、ＣＭと連動した広告も可能となる。ユーザーアカウントの増加に伴なって、トラフィックの増加やデータの蓄積も可能となるため、この情報を利用しての新しいビジネス展開も可能となる。
【００２４】
また、本発明に係るシステムはパソコンをユーザーが使用することを前提とすることでソーシャルネットワーク化を図ることもでき、ブログやチャット等のサービスも導入して推薦番組やライブ番組チャット等をユーザーが視聴する際の判断材料とすることもでき、地図によってユーザーの接続場所も解り、その場所独自のインターネットテレビを検索上位に位置させることもできる。尚、番組の受信はパソコンに限らずテレビ受像機や携帯電話機でも可能とすることができる。
【００２５】
さらに、視覚的に世界地図によって、各地域の昼、夜とその大まかな時刻が判る機能も付けることができ、地図上でテレビ局やチャンネルの選択を行なうことができるようにすることもできる。
【００２６】
インターフェイスもごくシンプルなものが望ましく、ワンクリックで該当するチャンネルを視聴することができることとし、機能的にも画面の拡大、縮小、音声ボリュームの調節、ミュートそしてアカウント登録者のみの録画だけで十分となる。
【００２７】
加えて、サイトの基本テキストは日本語、英語、中国語、フランス語等として選択可能とするが、将来的には自動翻訳機能を搭載することが好ましく、この自動翻訳は必ずしも完璧でなくとも十分で、ある程度のレベルで合致していることで済む可能性もある。
【産業上の利用可能性】
【００２８】
本発明に係る各国のテレビ番組の閲覧システムは上記のように構成される。このシステムはワールドワイドのものを考察しているが、我国内のみにあって各地のテレビ放送局で発信する番組をリアルタイムで別地域で受信し、視聴することができるシステムとして応用することは勿論可能であり、北海道から沖縄までの地方番組であってもどの地にいても視聴することができることとなる。
【図面の簡単な説明】
【００２９】
【図１】本発明を実施した各国のテレビ番組の閲覧システムを示す概略ブロック図である。
【図２】ユーザーのパソコンにおけるログイン前のインターフェイス画面を示す図である。
【図３】ログイン後のインターフェイスを示す図である。
【符号の説明】
【００３０】
１  サーバ
２  ウェブサイト
３  テレビ放送局
４  ストリーミングトランスミッションサーバ
５  アンテナ
６  パソコン
【図１】
2008160242.tif 000003
【図２】
2008160242.tif 000004
【図３】
2008160242.tif 000005